(57)【要約】  生体関連物質が分画されたゲル又は組織薄片から簡易に生体関連物質を採取する。  生体関連物質の捕捉用捕捉体と、該捕捉体を保持する担体と、該捕捉体を荷電するための電極とを備えた生体関連物質の捕捉装置であって、前記捕捉体は、荷電されるとともに生体関連物質が分画されたゲル又は生体関連物質を含む組織薄片上の所定位置に接触することにより、当該ゲル又は組織薄片から生体関連物質を捕捉するものである前記装置を提供する。
2011162290.tif 000002
【特許請求の範囲】
【請求項１】
生体関連物質の捕捉用捕捉体と、該捕捉体を保持する担体と、該捕捉体を荷電するための電極とを備えた生体関連物質の捕捉装置であって、前記捕捉体は、荷電されるとともに生体関連物質が分画されたゲル又は生体関連物質を含む組織薄片上の所定位置に接触することにより、当該ゲル又は組織薄片から生体関連物質を捕捉するものである前記装置。
【請求項２】
前記捕捉体が、磁性粒子、又は生体関連物質と親和性を有する物質を結合した磁性粒子である請求項１に記載の装置。
【請求項３】
前記捕捉体の荷電が担体を介して行なわれるものである請求項１に記載の装置。
【請求項４】
前記担体が磁石、又は磁石と導電性部材との組み合わせである請求項１に記載の装置。
【請求項５】
前記担体は、捕捉体を着磁又は消磁する機構を備えたものである、請求項１に記載の装置。
【請求項６】
前記生体関連物質が、核酸又はタンパク質である請求項１に記載の装置。
【請求項７】
生体関連物質の採取システムであって、
請求項１〜６のいずれか１項に記載の捕捉装置と、
前記捕捉装置に備えられた捕捉体を、生体関連物質が分布したゲルもしくは組織薄片上の所定の位置、又は所定区画に区分されたそれぞれの区分域に割り当てる位置指定手段と、
割り当てられた位置又は区分域に前記捕捉体を接触させる接触制御手段と、
前記位置又は区分域に接触した前記捕捉体から生体関連物質を捕捉して収める収集手段と、を有することを特徴とするシステム。
【請求項８】
生体関連物質が分画されたゲル又は生体関連物質を含む組織薄片を撮影する画像センサ、をさらに有する、請求項７に記載のシステム。
【請求項９】
前記撮影された画像上に生体関連物質の取得場所を指定する指定手段をさらに有する、請求項８に記載のシステム。
【請求項１０】
前記位置指定手段が、
生体関連物質が分布したゲル又は組織薄片を撮影する画像センサと、
前記画像センサからの画像信号を基に形成されたゲル又は組織薄片の画像上に生体関連物質の取得場所を定め、前記取得場所に対応する前記ゲル又は組織薄片上の座標を割り出す座標演算手段と、を有し、
前記接触制御手段が、割り出された座標に前記捕捉体を移動させることを特徴とする請求項７に記載のシステム。
【請求項１１】
請求項１〜６のいずれか１項に記載の装置又は請求項７〜１０のいずれか１項に記載のシステムを用いて、生体関連物質が分画されたゲル又は生体関連物質を含む組織薄片から生体関連物質を採取することを特徴とする生体関連物質の回収方法。
【発明の詳細な説明】
【技術分野】
【０００１】
本発明は、生体関連物質が分布したゲルから生体関連物質を採取する装置に関するものである。
【背景技術】
【０００２】
タンパク質や核酸などの生体関連物質を分画する方法として電気泳動がよく知られている。このような電気泳動では、ポリアクリルアミドゲルやアガロースゲルなどの平面ゲル上で、分子量、分子形状、電荷などに基づきタンパク質や核酸を分画する。そして近年では、生体関連物質を分画装置でゲル上に分画し、分画された生体関連物質をゲル上から取得して、質量分析計（マススペクトロメトリ）などの分析装置に供給して分析する技術についての研究が進められている。【０００３】
分画された生体関連物質を分析装置に供給する場合には、平面ゲルから分画された生体関連物質を採取する必要がある。例えば、サザンブロッティングやウェスタンブロッティングにおいては、分画後の平面ゲルにメンブレンフィルターを乗せてゲルとメンブレンフィルターとを一体化させ、両面に正と負の電荷をかけてゲルからメンブレンフィルターに生体関連物質を転写する。続いて、スポットの位置を確認した後、プローブ又は抗体を用いて目的の生体関連物質を標識し、その後抽出作業を行なって質量分析にかける。
このように、従来では分画から分析までの工程が多数であり、しかもそれぞれの工程は手作業で行なうことが多く、時間と労力を要する。【０００４】
また、ゲル上に分画された生体関連物質画分を採取する手法として、メスなどの切除用具を用いてゲルから生体関連物質を切り出し、切り出された生体関連物質を分析装置に提供して分析を実行することも行なわれている。ノズルからガスを吐き出し、この吐出ガスによってゲル上の画分を切り取る装置も考えられている（特許文献１）。
しかしながら、このような切り出す操作も煩雑であり、また、手動で生体関連物質画分を切り出す場合はさらに手間がかかるほか、余分な成分も回収するため回収後の分析工程において分析精度が低下してしまうことがあった。
【先行技術文献】
【特許文献】
【０００５】
【特許文献１】特開２００５−０６９９０５号公報
【発明の概要】
【発明が解決しようとする課題】
【０００６】
そこで、本発明は、目的の生体関連物質を、分画パターンが形成されたゲル又は組織薄片から簡便に取得することができる生体関連物質の捕捉装置および生体関連物質の採取システムを提供することを目的とする。
【課題を解決するための手段】
【０００７】
上記の目的を達成するため、本発明の捕捉装置は、
生体関連物質の捕捉用捕捉体と、該捕捉体を保持する担体と、該捕捉体を荷電するための電極とを備えた生体関連物質の捕捉装置であって、
前記捕捉体は、荷電されるとともに生体関連物質が分画されたゲル又は生体関連物質を含む組織薄片上の所定位置に接触することにより、当該ゲル又は組織薄片から生体関連物質を捕捉するものであることを特徴とする。
本発明の捕捉装置において、捕捉体は、磁性粒子、又は前記生体関連物質と親和性を有する物質を結合した磁性粒子でもよい。【０００８】
本発明において、前記担体は、例えば磁石であり、また、磁石と導電性部材との組み合わせでもよい。また、前記捕捉体の荷電は、例えば担体を介して行なわれる。さらに、前記担体は、捕捉体着磁又は消磁する機構を備えたものであってもよい。生体関連物質としては、例えば核酸又はタンパク質が挙げられる。【０００９】
また、本発明のシステムは、
生体関連物質の採取システムであって、
請求項１〜６のいずれか１項に記載の捕捉装置と、
前記捕捉装置に備えられた捕捉体を、生体関連物質が分布したゲルもしくは組織薄片上の所定の位置、又は所定区画に区分されたそれぞれの区分域に割り当てる位置指定手段と、
割り当てられた位置又は区分域に前記捕捉体を接触させる接触制御手段と、
前記位置又は区分域に接触した前記捕捉体から生体関連物質を捕捉して収める収集手段と、を有することを特徴とする。
ここで、本発明の採取システムは、生体関連物質が分画されたゲル又は生体関連物質を含む組織薄片を撮影する画像センサを有してもよい。
さらに本発明のシステムは、前記撮影された画像上に生体関連物質の取得場所を指定する指定手段を有することもできる。
また、本発明の採取システムでは、前記位置指定手段が、
生体関連物質が分布したゲル又は組織薄片を撮影する画像センサと、
前記画像センサからの画像信号を基に形成されたゲル又は組織薄片の画像上に生体関連物質の取得場所を定め、前記取得場所に対応する前記ゲル又は組織薄片上の座標を割り出す座標演算手段と、を有し、
前記接触制御手段が、座標演算手段によって割り出された座標に前記捕捉体を移動させてもよい。
これら本発明の採取システムでは自動的に生体関連物質を取得することができる。【００１０】
また、本発明は、前記捕捉装置または採取システムを用いて、生体関連物質が分画されたゲル又は生体関連物質を含む組織薄片から生体関連物質を採取することを特徴とする生体関連物質の回収方法を提供する。
【発明の効果】
【００１１】
本発明の捕捉装置によれば、捕捉体と生体関連物質との電気的作用、又は親和性などの化学的相互作用を利用して、生体関連物質が分布したゲルや組織薄片から簡便かつ選択的に目的の生体関連物質を採取することができる。【００１２】
本発明の捕捉装置によれば、ゲルや組織薄片をマトリクス状に区分したそれぞれの区分域に捕捉体を割り当て、これら区分域にそれぞれ捕捉体を接触させて生体関連物質を捕捉することもでき、どのような分画パターンを有するゲルや組織薄片からでも生体関連物質を採取することができる。【００１３】
また、本発明の捕捉装置によれば、ゲルや組織薄片の画像上に定めた生体関連物質の取得場所から実際のゲルや組織薄片上での座標を割り出し、この座標に捕捉体を接触させて生体関連物質を捕捉するものであり、ゲルや組織薄片上の任意の場所から生体関連物質を採取することができる。
このようにして、本発明の装置を用いることにより、ゲルや組織薄片からの生体関連物質の採取を自動化し、作業を簡略化させることができる。
【図面の簡単な説明】
【００１４】
【図１】本発明に示される捕捉体の態様について示した説明図である。
【図２】捕捉体が生体関連物質を引き上げる原理を示した概略図である。
【図３】生体関連物質を採取する工程を示す模式図である。
【図４】本発明の装置の一態様を示す図である。
【図５】捕捉体と生体関連物質との複合体と、この複合体を受け入れるウェルとの組み合わせ態様を示す模式図である。
【図６】ゲル又は組織薄片の区分態様を説明する図である。
【図７】ゲル又は組織薄片の区分態様を説明する図である。
【図８】吸着機構体を金属ピンの延伸方向に平行な平面で部分的に切断した部分断面図である。
【図９】捕捉体を収容するように構築された吸着機構体をハウジングの長手方向に沿って切断した断面図である。
【図１０】磁性体の吸着と流体の吸込とを実行できる吸着機構体の構造及び作動態様について示した斜視図及び斜視断面図である。
【図１１】一部の区分域に対応するウェル内の収容物について規模拡大する際の、ゲルプレート、第１ウェルプレート及び第２ウェルプレートを示す図である。
【図１２】一部の区分域に対応するウェル内の収容物について規模縮小する際の、ゲルプレート、第１ウェルプレート、第２ウェルプレートを示す図である。
【図１３】電気泳動装置及び回収冶具について示した斜視図である。
【図１４】電気泳動後のゲル及び核酸を回収した後のゲルをＵＶ蛍光撮影した図である。
【発明を実施するための形態】
【００１５】
１．概要
本発明は、生体関連物質の捕捉用捕捉体と、該捕捉体を保持する担体と、該捕捉体を荷電するための電極とを備えた生体関連物質の捕捉装置である。
前記捕捉体は、荷電されるとともに生体関連物質が分画されたゲル又は生体関連物質を含む組織薄片上の所定位置に接触することにより、当該ゲル又は組織薄片から生体関連物質を捕捉するものである。
本発明の装置において、捕捉体は、磁性又は導電性粒子であり、好ましくは磁性粒子である。捕捉体は、生体関連物質を捕捉する際に担体に保持されるとともに、電極から荷電されるものである。
【００１６】
本発明は、生体関連物質が分布したゲル又は組織薄片の全域又は一部の領域を対象として、任意の場所から生体関連物質を取得する装置又は方法を提供する。本発明において、生体関連物質の採取は、正又は負に荷電した生体関連物質と、生体関連物質の電荷とは反対の電荷に荷電した捕捉体との電気的相互作用により、生体関連物質が捕捉体に吸着するという原理、あるいは捕捉体に結合された、生体関連物質と親和性を有する物質により生体関連物質が捕捉されるという原理に基づくものである。
前述の通り、従来、サザンブロッティングやウェスタンブロッティングにより分画された生体関連物質サンプルを採取して分析にかける工程は手作業で行なっていたが、本発明により、これらの作業を機械的に処理（すなわち自動化処理）できるようになった。本発明の捕捉体は、従来のブロッティングにおいて使用されていたメンブレンフィルターに代わるものであり、本発明の捕捉体を使用することによりフィルターを使う手間が省け、作業が極めて簡略化される。
【００１７】
ここで、担体として磁力体（棒状のもの）を、捕捉体として磁力体の先端に保持される磁性粒子をそれぞれ用いて、ゲル上に分画された生体関連物質（例えばDNA）を回収する態様を考えてみる。
磁力体は永久磁石又は電磁石等であり、磁性粒子を吸着保持する磁力を発生させるもののすべてを包含する。捕捉体は磁性粒子であるので、当該粒子は磁力体の先端に付着し保持される。本発明の一態様において、担体には電極が接続されており、電極からの電流は担体を介して磁性粒子に流れ、磁性粒子は荷電する。この荷電と同時に又は前後して磁性粒子をゲルに接触させると、電気的相互作用により、負に荷電しているDNAはゲル中の水を媒体として正極側（捕捉体側）に移動し、正に荷電した磁性粒子に吸着する。
吸着後、生体関連物質回収用ウェル内に磁性粒子を移動させて磁力体を消磁すると、磁性粒子は磁力体から離れるとともに、電気的相互作用が消失して磁性粒子からDNAが解放される。その後、磁性粒子を磁力体で引き寄せて回収することにより、ウェル内には目的のDNAが回収される。
このように、本発明の一つの態様は、磁性を利用して捕捉体を担体に保持させるとともに、捕捉体の電荷を利用して生体関連物質を捕捉体に吸着させるという作用を有するものであり、ゲルからの生体関連物質の回収から、その回収された生体関連物質の分析までの一連の工程を自動化することが可能となる。
【００１８】
２．本発明の態様
以下、本発明の態様について、詳細に説明する。
（１）生体関連物質が分布したゲル及び組織薄片
生体関連物質を分画するためのゲルについては様々なものが利用可能であり、目的に応じてこれらを使い分けることができる。本発明に用いることができるゲルとしては、例えば、アガロースゲル、ポリアクリルアミドゲルなどが挙げられるが、これらに限定されるものではない。生体関連物質をゲルに分布させるには、通常の電気泳動等を行なえばよい。
また、本発明は薄くスライスした組織切片に対して適用することができる。例えば、採取された組織切片をそのままスライスして薄片化することができるが、組織切片を凍結してミクロトーム等を用いてスライスすることもできる。また、パラフィンで包埋された組織をレーザやカッタを用いて薄くスライスした組織切片を支持台に載せ、脱パラフィン処理などを行って生体関連物質が分布した組織薄片を形成する。このように形成された組織薄片を上述した捕捉装置にセットして生体関連物質を取得することも可能である。
【００１９】
（２）捕捉体及び担体
捕捉体の構成としては、捕捉の際に荷電される磁性又は導電性粒子がある。また、生体関連物質と親和性を有する物質（例えば生体関連物質と特異的に結合するプローブ）を捕捉体の周囲に固定することもできる。捕捉体としては、磁力による制御が可能な磁性体や、プローブを把持して制御することが可能な制御物体などが挙げられる。磁性体や制御物体のサイズは分画パターンに合わせて適宜定めることが好ましく、またその形状は取り扱い上の利便性などの観点から粒子状やスティック状に形成することが好ましい。捕捉体は電気的相互作用又は親和性を利用して生体関連物質を吸着できるものであれば何でもよく、形状や材質などに関して特に制限を有するものではない。以下にそのうちのいくつかを例示する。
【００２０】
図１は捕捉体の態様について示した説明図である。
図１（ａ）に示した捕捉体は、電荷をかけることにより荷電する磁性粒子又は導電性粒子で構成される。
磁性又は導電性粒子の材質は特に限定されるものではないが、Ｆｅ、Ｃｏ、Ｎｉなどの少なくとも一種以上から構成することが好ましく、例えば、Ｆｅ、Ｃｏ、Ｎｉのいずれかの単体や、Ｆｅ―Ｃｏ系合金、Ｆｅ―Ｎｉ系合金、Ｃｒ、Ｔｉ、Ｎｂ、Ｓｉ、Ｚｒなど遷移金属元素をさらに加えた３元系、４元系合金などを用いることができる。
さらに、上記磁性粒子は、Ｔｉ、Ａｌ、Ｚｒなどの無機材料で被覆してもよい。これらのうちのいずれかの無機材料で被覆することにより、例えば、耐食性や化学的安定性などを高めることができる。
磁性粒子の形状は特に限定しないが、取り扱いが容易である点で球形状が好ましく、球状に形成する場合、その直径は０．１〜１００μｍの範囲内とするのが好ましい。
図１（ａ）に示した捕捉体は、担体に１層になって保持されている態様であるが、層数は限定されるものではない。担体として磁力体を用い、多数の磁性粒子を保持させると、磁性粒子はランダムに又は階層状に多層構造を形成する（図１（ｂ））。
また、本発明においては、球状に形成された磁性粒子部分の周囲に、生体関連物質（例えば核酸又はタンパク質）などと親和性を有するプローブを設けることもできる（図１（ｃ））。図１（ｃ）に示した捕捉体は、球形状に形成された粒子と、この粒子の周囲に結合したプローブとから構成される。ここで、「親和性を有する」とは物質同士の相互間で化学的又は物理的に相互作用して特異的に結合するように、結びつきが強まることを意味する。このような親和性を有する物質の組み合わせとしては、例えば、抗原と抗体、リガンドと受容体、核酸（DNAやRNA）とその相補鎖などが挙げられる。
【００２１】
捕捉体への親和性を有する物質の結合は、核酸／相補的核酸、受容体タンパク質／リガンド、酵素／基質、抗体／抗原、ＩｇＧ／プロテインＡ、マルトース結合タンパク質／マルトース、ポリヒスチジンペプチド／ニッケルやコバルト等の金属イオン、グルタチオン−Ｓ−トランスフェラーゼ／グルタチオン、カルモジュリン／カルモジュリン結合ペプチド、ＡＴＰ結合タンパク質／ＡＴＰ、ストレプトアビジン又はアビジン／ビオチン、酵素／基質等の特異的な結合が利用され、これらの結合が可能となるように粒子表面を例えば化学的に処理することにより目的の生体関連物質と親和性を有する物質を粒子表面に固定することができる。さらに、目的の生体関連物質と親和性を有する物質の捕捉体への固定では、例えば、アミド結合、ジスルフィド結合、チオエーテル結合等の共有結合の形成、ストレプトアビジン又はアビジンとビオチンとの特異的相互作用、疎水性相互作用、相互作用、極性相互作用などを利用することができる。
捕捉対象が抗原、抗体、リガンド、受容体等のタンパク質の場合は、例えば上述の共有結合を利用することにより、捕捉対象であるタンパク質と親和性を有するタンパク質（以降、プローブタンパクという）が固定された粒子を提供することができる。この共有結合の形成では、プローブタンパクに存在する官能基を粒子の表面に共有結合させることにより、プローブタンパクを粒子表面に固定することができる。共有結合を形成する官能基の具体例としては、カルボキシル基、アミノ基、水酸基等が挙げられる。例えば、粒子の表面にカルボキシル基を設けた場合では、１−エチル−３−（３−ジメチルアミノプロピル）−３−エチルカルボジイミド塩酸塩（ＥＤＣ）等のカルボジイミド類でカルボキシル基を活性化させた後、プローブタンパクに存在するアミノ基と反応させることにより、プローブタンパクを粒子表面にアミド結合させることができる。
捕捉対象がＤＮＡやＲＮＡといった核酸の場合は、例えばストレプトアビジン又はアビジン／ビオチンの相互作用を利用することで、目的の核酸と親和性を有する相補的核酸が固定された粒子を提供することができる。例えば、相補的核酸にビオチンを導入し、粒子をアビジン又はストレプトアビジンでコーティングすることにより、相補的核酸を粒子に固定することができる。
粒子は常磁性を帯びた磁性粒子でもよく、着磁及び消磁が可能な金属製粒子でもよい。そして、磁性粒子は、磁性の制御が可能な磁石によって磁石への吸着と磁石からの解放とが制御される。
【００２２】
担体の構成としては、前記捕捉体を保持できるものであれば特に限定されるものではないが、磁力体であることが好ましい。磁力体としては、強磁性材料又は軟磁性材料からなる磁石、例えば永久磁石、電磁石などが挙げられる。また、磁石等によって着磁及び消磁が可能な金属製担体であってもよい。担体の形状はスティック又はピン状（多角柱状又は円柱状のもの）、平板状、先太り形状など、限定されるものではない。担体は、捕捉体を荷電するために電極に接続されているが、後述するように導電性部材を中間部材として磁石を覆い、これを電極に接続することもできる。
また、本発明においては、図１（ｄ）に示すように、スティック状の基体を担体とし、この基体の先端部に捕捉体を構成することもできる。基体の上端部はアームによって自在に把持される構成とすることも可能である。この場合、担体に電極を接続して担体を荷電することができる。
【００２３】
なお、図１（ｄ）は捕捉体としてプローブを担体に直接結合させた例を示しており、この例では、担体とプローブが捕捉体として機能する（担体が捕捉体を兼ねている）。
さらに、本発明においては、捕捉体を保持又は固定する担体はスティック状に限らず、例えば平面状に形成されたゲルや組織薄片の表面との対向間隔がほぼ一定となるように板
状に形成してもよい（図１（ｅ））。
【００２４】
（３)生体関連物質の回収
図２は、担体（磁石等）に保持された捕捉体（磁性粒子）をゲルプレートに接触させ、磁性粒子に電荷をかけて生体関連物質を吸着させる態様を示す図である。
図２に示すように、磁性粒子がゲル又は組織薄片上の生体関連物質画分に接触すると、表面張力や毛管現象によって磁性粒子間はゲル中の水によって満たされる。そして、磁性粒子と生体関連物質との電気的相互作用により、ゲル中の生体関連物質は、磁性粒子間に介在する水を媒体として捕捉体である磁性粒子に向かって移動し、磁性粒子に生体関連物質が吸着して磁性体と生体関連物質との複合体を形成する。磁性粒子が多層構造を形成していれば、より立体的に生体関連物質の磁性粒子への吸着を実現させることができる（図２（ｂ））。この現象は、ゲル電気泳動を行なうときの泳動対象（DNA、タンパク質等）の動きと同じ原理に基づくものであり、磁性粒子を荷電する電極が電気泳動時の電極の機能を、そして水と磁性粒子が電気泳動のゲル（網目構造）と同じ機能を果たしている。
ゲルや組織薄片上に捕捉体を接触させた後、捕捉体をゲルや組織薄片から引き離すことにより、ゲルや組織薄片上の生体関連物質画分から生体関連物質を引き上げることができる（図２（ｃ））。
【００２５】
図３は、電気泳動により分画されたゲルから生体関連物質を回収する方法の概要を示す図である。
図３に示すように、電気泳動後のゲルプレート（図３(a)）上のバンドの位置に捕捉体を位置させた後、捕捉体を泳動画分に接触させて電極から担体（磁石）に電荷をかけ、生体関連物質を捕捉体に吸着させる（図３(b)、(c)）。続いて捕捉体を試薬溶液に移動させて消磁及び電荷を解除すると、磁性粒子は試薬溶液中に解放されるとともに、磁性粒子から生体関連物質は離脱する（図３(d)、(e））。その後担体に磁力をかけて捕捉体である磁性粒子のみを担体に付着させることにより、ウェル中に目的の生体関連物質を得ることができる（図３(f))。
本発明においては、ゲルプレートに存在する生体関連物質を捕捉体に移動させるための電場の形成は、例えば、ゲルプレートの下に水分を含有することができるスポンジなどの導電部材（電極）を設けることができる（図４）。
【００２６】
電極と金属ピンとの間に電場が形成されると、生体関連物質はゲルの上面に移動し、捕捉体に吸着する。このように、負に荷電した生体関連物質を回収する場合は、ゲルプレートの下面側に負極である電極を配置し、上面側に正極として機能する金属ピンを配置して電場を形成することにより、ゲルプレート４に分画され負に荷電した生体関連物質は、捕捉体で効率よく捕捉することができる。
なお、捕捉体と生体関連物質との複合体から捕捉体を除去する手法はこれに限らず他の方法を用いることができる。例えば、捕捉体をウェル内に解放して捕捉体と生体関連物質との結合を断ち切った後に、生体関連物質のみをろ過するフィルタにウェル内の溶液を通して生体関連物質を取得することもできる。
生体関連物質と親和性を有する物質から生体関連物質を分離するには、生体物質間の相互作用を解消する条件、例えば、pHや塩濃度などを変化させる条件を適用することにより行なうことができる。
【００２７】
図５は、生体関連物質を捕捉した捕捉体をウェル中に浸漬させる態様を示す図である。例えば、１つの担体に捕捉体（例えば磁性粒子）を保持させた態様を１ユニットとすると、１ユニット中の捕捉体を１つのウェルに浸漬する態様（図５（ａ））、１ユニット中の捕捉体を２つ以上の複数のウェルに浸漬する態様（図５（ｂ））、２以上のユニット中の捕捉体を１つのウェルに浸漬する態様（図５（ｃ））を挙げることができる。また、これらのユニットにおいては、担体の形態として捕捉体と中間部材との組み合わせを用いることができ、当該中間部材を介して磁石で捕捉体を保持することもできる。磁石により保持された捕捉体との間を隔てる中間部材は、磁石と捕捉体とを仕切るカバーとして機能し、様々な材料で形成可能であるが、電極からの荷電が可能な導電性部材とする必要がある。このような導電性部材としては、例えば炭素繊維製のもの、銅製のもの等であることが好ましい。
【００２８】
このように導電性部材を設けることにより、永久磁石を用いて捕捉体を保持させたときは、永久磁石を上下に移動させて捕捉体の保持（捕捉体の着磁）と解放（捕捉体の消磁）を行なうとともに、導電性部材を介して電極から捕捉体を荷電して、生体関連物質を捕捉することができる。
本発明においては、ウェルの下方に捕捉体を引き寄せるための磁石を設け、捕捉体吸着用の磁石の磁場とウェル下方の磁石の磁場とを制御して複数のウェルに捕捉体を分配することも可能である（図５（d））。
捕捉体は、手動で制御することができるが、機械的な仕組みや電気電子的な仕組みによって自動的に制御することが好ましい。
捕捉体を手動で制御する場合は、捕捉装置は、例えば捕捉体の吸着／解放が可能な冶具と、生体関連物質が分画されたゲル又は生体関連物質を含む組織薄片における生体関連物質を捕捉するための捕捉体とを備え、この冶具が手動で操作されて、ゲル又は組織薄片から生体関連物質を捕捉体に吸着させ、生体関連物質を吸着した捕捉体を回収する。
捕捉体を自動で制御する場合は、捕捉装置は、ゲル全体を所定区画に分画してその区画全体から生体関連物質を採取することもでき、また、捕捉体をゲル又は組織薄片上に位置させる際に、座標を用いて捕捉体をゲル又は組織薄片上に位置させ、その座標上の位置から生体関連物質を採取することもできる。もちろん、座標以外の手法で捕捉体をゲル又は組織薄片上に位置させてもよい。
【００２９】
上述の通り、捕捉体を接触させる場所は、座標を用いてゲル又は組織薄片上に定めてもよいし、ユーザがゲル又は組織薄片上の任意の位置に定めることができる。また、捕捉体を接触させる場所を定める場合には、これを手動で行うことも自動で行うこともできる。
生体関連物質を回収するためのゲル又は組織薄片上の位置の指定の態様を以下に示す。
i）捕捉体を接触させる場所を、ユーザが目視で任意にゲルや組織薄片上に手動で定める場合は、例えば、染色等によって明らかになった生体関連物質のバンドの位置又は組織薄片の位置に、ユーザ自らが捕捉体を接触させればよい。
ii）捕捉体をゲル又は組織薄片上に接触させる場所を自動で定める場合は、例えば、染色等によって明らかになった生体関連物質を、色情報を基にして追跡可能な機構を利用して、色の種類又は濃淡により捕捉位置を定め、その位置に捕捉体を接触させることができる。
iii）捕捉体を接触させる場所を、座標を用いて自動で定める場合は、例えば、生体関連物質が分画されたゲル又は組織薄片を撮影し、撮影で取得した画像情報について特徴分析して生体関連物質の取得場所を演算することにより、捕捉体を接触させる場所を定めることができる。ゲルや組織薄片の画像の取得はラインセンサを用いてスキャンしてもよいし、イメージセンサを用いてプレート全体を撮影してもよい。
iv）座標を用いて捕捉体を接触させる場所を手動で定める場合は、例えば、生体関連物質が分画されたゲルや組織薄片を撮影し、撮影で取得した画像上でユーザによって指定された生体関連物質の取得場所を演算することにより、捕捉体を接触させる場所をゲル又は組織薄片上に定めることができる。
【００３０】
生体関連物質が分布したゲル又は組織薄片から生体関連物質を取得する本発明のシステムの具体的な態様として、例えば以下の手段がある。
(a) 捕捉体を、生体関連物質が分布したゲルや組織薄片上の所定の位置、又は所定区画（例えばマトリクス状）に区分したそれぞれの区分域に割り当てる位置指定手段、
(b) それぞれ割り当てられた位置又は区分域に捕捉体を接触させる接触制御手段、及び
(c) 前記位置又は区分域に接触した前記捕捉体から生体関連物質を切離して収める収集手段。
上記手段を備えることで、本発明の装置を自動化することができる。この場合、さらに、
(d) 生体関連物質が分画されたゲル又は生体関連物質を含む組織薄片を撮影する画像センサ、
(e) 前記撮影された画像上に生体関連物質の取得場所を指定する位置指定手段
などを備えることも可能である。
なお、生体関連物質が分布したゲルや組織薄片は板状に形成したものであることが好ましい。
さらに、本発明の別の態様として、上記(a)の割り当ての際に、生体関連物質が分布したゲルや組織薄片を撮影する画像センサと、前記画像センサからの画像信号を基に形成されたゲルや組織薄片の画像上に生体関連物質の取得場所を定め、前記取得場所に対応する前記ゲルや組織薄片上の座標を割り出す座標演算手段を設けることもできる。
また、前記座標演算手段によって割り出された座標に、捕捉体を接触させる接触制御手段と、ゲルや組織薄片上に接触した捕捉体から生体関連物質を切離して収める収集手段とを備えてもよい。
ここで、画像信号を基に形成されたゲルや組織薄片の画像上での取得場所の決定は、画像処理技術を応用して自動的に実行してもよく、またタッチパネルやマウス等のユーザの操作が可能なポインティングデバイスを用いて実行してもよい。
【００３１】
図６は、ゲルプレート４をマトリクス状に区分したときの態様について説明する説明図である。担体を、その先端の断面積がマトリクスの区画と同等又はそれよりも小さいピン状の形態とすることにより、あるいは、マトリクスの区画を、先端がピン状である担体の断面積と同等又はそれよりも小さい区画とすることにより、１つの担体が１つのマトリクス区画に割り当てられ、１つの担体に保持された捕捉体がその区画内に収まっている生体関連物質を回収することができる。
【００３２】
ゲルプレート４はマトリクス状に区分され、所定区画数に区分されたゲルプレート４上の所定位置に生体関連物質画分Ａ、Ｂ、Ｃが形成された場合、それぞれの生体関連物質画分に対応する区分域４aが存在する。そして、磁性粒子を保持する担体であるピン（例えば軟磁性金属ピン）が、割り当てられた区分域４aと対向する。
例えば、生体関連物質画分Ａに対しては４行４列に位置する区分域（ｍ行ｎ列の区分域を「（ｍ，ｎ）区分域」という）が対応し、生体関連物質画分Ｂに対しては（７，５）区分域、及び（７，６）区分域が対応し、生体関連物質画分Ｃに対しては（２，７）区分域、（２，８）区分域、（２，９）区分域、（３，７）区分域、（３，８）区分域、（３，９）区分域、（４，７）区分域、（４，８）区分域、（４，９）区分域の９つの区分域が対応する（図６）。
【００３３】
ゲルプレート４のマトリクスの区画数は限定されるものではなく、例えば、８列１２行の９６区画、１６列２４行の３８４区画、３２列４８行の１５３６区画などに区分することが可能であり、この区分数はゲルプレート４上の生体関連物質画分の大きさに合わせて適宜変更することができる。但し、回収の対象となる区画は、ゲルプレート全体でもよく、生体関連物質が分布した領域だけでもよく、任意に設定することができる。ピンは、この区分域４aに割り当てられるように、１本又は複数本設けられる。ピンを１本設けた場合は、このピンがすべての区画に対応する生体関連物質を回収するための捕捉体の保持と解放を行ない、すべての区画からの生体関連物質の回収を担当する。ピンを複数設ける場合は、ピンは、すべての区画数分を設けることもできるし、１行分又は１列分のように数を定めて設けることもできる。
それぞれのピンの先端には捕捉体が自在に吸着し、捕捉体は例えば磁性粒子、あるいは磁性粒子とこの磁性粒子の周囲に設けられたプローブとから構成されている。これにより、それぞれの区分域４ａに捕捉体を割り当てることができる。ゲルプレート４のサイズは、例えば、縦横１２ｃｍ×９ｃｍであり、このゲルプレート４を３２列４８行の１５３６の区分域に区分することで、この区分域４aに対応するように、１５３６本の軟磁性金属ピン２０を２．２５ｍｍの間隔を隔てて（２．２５ｍｍピッチで）配列することができる。
【００３４】
ユーザにより定められた生体関連物質の取得場所が複数の区分域を有する場合、金属ピンの作動パターンは、隣り合う捕捉体同士の相互作用をできるだけ小さくするように決定することが好ましい。
例えば、図６において、画分Ｂは（７，５）区分域、及び（７，６）区分域を有するため、画分Ｂから生体関連物質を取得するには、（７，５）ピン及び（７，６）ピンの一方を先に下降させ他方を後に下降させてもよく、又は両方を同時に下降させてもよい。即ち、生体関連物質画分Ｂに関して、例えばダイヤマーク（◇）の区分域４ａに対応する金属ピンとスターマーク（☆）の区分域４ａに対応する金属ピンのどちらか一方を先に作動させ他方を後に作動させる。（７，５）ピン及び（７，６）ピンのうち、どちらか一方をまず作動させた後に他方を作動させることにより、隣り合った磁性粒子への磁気干渉を低く抑えることができる。
【００３５】
また、上記と同様に、画分Ｃは（２，７）区分域、（２，８）区分域、（２，９）区分域、（３，７）区分域、（３，８）区分域、（３，９）区分域、（４，７）区分域、（４，８）区分域、（４，９）区分域の９つを有するため、画分Ｃから生体関連物質を取得するには、（２，７）ピン、（２，８）ピン、（２，９）ピン、（３，７）ピン、（３，８）ピン、（３，９）ピン、（４，７）ピン、（４，８）ピン、（４，９）ピンの９つの金属ピンを下降させ画分Ｃに接触させることとなる。あるいは、区分数よりも少ない数の金属ピン（例えば１つ又は２つの金属ピン）に、それぞれの区分域における生体関連物質の回収を担当させることも可能である。
このとき、上記の画分Ｂの場合と同様に、ダイヤマーク（◇）の区分域４ａに対応する金属ピンとスターマーク（☆）の区分域４ａに対応する金属ピンのどちらか一方を先に作動させ他方を後に作動させる。このように、金属ピンを間欠的に下降させることにより隣り合う捕捉体間の磁気相互干渉を低く抑えることができる。また、隣り合う金属ピンに対応する電極との間に好ましくない電場を形成することを防止することもできる。
【００３６】
本発明において、金属ピンの作動態様は上記に限らず、適宜変更することができる。例えば、配列された金属ピンの縦方向、横方向だけでなく、斜め方向に隣り合った金属ピンも、生体関連物質画分に金属ピンを接触させるように作動パターンを決定してもよい。
また、図７に示す領域の生体関連物質を回収する場合、まず、スクウェアマーク（□）を付して示した区分域４aに対応する金属ピンを作動させ、次いで、スターマーク（☆）の区分域４aに対応する金属ピン、続いて、ダイヤマーク（◇）の区分域４aに対応する金属ピン、最後にトライアングルマーク（△）の区分域４aに対応する金属ピンを作動させるといった複数段階（この実施形態では４段階）に分けて金属ピンを作動させることも可能である。例えば、それぞれのマークの区分域に対応するグループを形成させることにより、それぞれのグループごとにピンを個別に作動させる。各グループに属するピンの作動は、同時でも異なってもよい。このように、複数の金属ピンをグループ分けしてグループごとに作動させることにより、作動する金属ピン同士をある程度隔てられるとともに、金属ピンの作動段階数を増やすことができ、金属ピンの相互干渉をより低減することができる。
本発明において、生体関連物質の捕捉体を保持する担体として例えば軟磁性金属ピンを用いたときの使用形態の一例を図８に示す。図８は、軟磁性金属ピンを搭載した吸着機構体の延伸方向に平行な平面で部分的に切断した部分断面図である。図８に示すように、吸着機構体１３０の構造は、第１ハウジング１３１、第２ハウジング１３２、磁石１４０、軟磁性金属ピン１４２などを備える。
【００３７】
軟磁性金属ピン１４２は捕捉体を保持する担体としての役割を有しており、第１ハウジング１３１によって保持され、第１ハウジング１３１は第２ハウジング１３２によって保持される。磁石１４０は、軟磁性金属ピン１４２に突き当たった当接位置と軟磁性金属ピン１４２と接触しないように遠ざかった退避位置との間で移動自在に第１ハウジング１３１内に設けられ、この磁石１４０が移動することにより、軟磁性金属ピン１４２の磁性が制御される。軟磁性金属としては、例えば、純鉄、Ｆｅ−Ｎｉ系合金、Ｆｅ−Ｓｉ系合金、Ｆｅ−Ｃｏ系合金などがあり、適宜選択して用いることができる。また、ピンの形状は円柱形状、角柱形状、先太り形状などがあり、目的に応じて適宜変更することができる。
【００３８】
磁石１４０は例えばプランジャ１３６に接続されプランジャ１３６の突出と引込はソレノイド１３５によって制御されている。プランジャ１３６が突出したときには磁石１４０が当接位置に位置して軟磁性金属ピン１４２が磁性を帯びて磁石として機能し、プランジャ１３６が引込んだときには磁石１４０が退避位置に位置し、軟磁性金属ピン１４２は磁性を消失し磁石としての機能を失う。
【００３９】
軟磁性金属ピン１４２には電極（正極）が接続され、電極（負極（例えば含水スポンジ））との間に電圧が印加された場合には（図４参照）、電極と軟磁性金属ピン１４２との間で電場が形成される。軟磁性金属ピン１４２の先端には捕捉体１５０が解放自在に吸着されており、ゲルプレートの表面に移動した生体関連物質は軟磁性金属ピン１４２先端の捕捉体１５０と結合して複合体を形成する。なお、電極は金属製の第１ハウジング１３１を介して接続されていてもよい。
【００４０】
また、上記の吸着機構体の形態は上記に例示したものに限らず、例えば図９に示すように、捕捉体を吸着機構体の内部と外部との間で吸引／吐出させる態様とすることもできる。例えば図９（ａ）に示すように、吸着機構体３５０はハウジング３５２と磁石装置３５４とを備える。ハウジング３５２は略筒状に形成され、ハウジング３５２内に磁石装置３５４が移動自在に設けられている。磁石装置３５４は電極に接続され、また、吸着板３６５がハウジング３５２の先端の開口端に展開する展開位置とハウジング３５２内に引き込まれた引込位置との間で移動可能に設けられ、磁石装置３５４の移動は、例えばハウジング３５２に備えられたアクチュエータ３５６によって制御される。磁石装置３５４は磁石３６０とソレノイド３６２とを備えることができ、磁石３６０は吸着板３６５に当接する当接位置とこの当接位置よりもソレノイド側に退避した退避位置との間で移動可能に設けられる。
【００４１】
図９（ｂ）に示すように、磁石３６０が当接位置に位置するときは、吸着板３６５は捕捉体３７０を吸着することができ、磁石３６０が退避位置に位置するときは、吸着板３６５は捕捉体３７０を吸着できず、捕捉体３７０が解放される。
図９（ｃ）に示すように、生体関連物質を捕獲するとき、磁石装置３５４が展開位置に位置するように配置が制御される。磁石装置３５４が展開位置に配置されると、捕捉体３７０が吸着機構体３５０の先端に展開される。磁石３６０に接続した電極より電荷をかけると、ゲルプレート上の生体関連物質の吸着が可能となる。
【００４２】
磁性を有する捕捉体の移動を制御する仕組みとして、既に述べたような永久磁石のポジションを制御して磁場の強弱を調節する手法も可能であるが、電磁石への供給電流を調節して磁場の強弱を調節することにより捕捉体の移動を制御することもできる。ここでは、電磁石への供給電流を調節して磁場の強弱を調節するとともにポンプ機構によって捕捉体を複数のウェルに分配する機能を備えた吸着機構体について示す。
磁性を有する捕捉体として、例えば磁性粒子の移動をよりスムーズに制御したい場合には、捕捉体を水などの液体溶媒と合わせて一旦流体を形成し、この形成された流体をピエゾ素子などの圧電素子やＳＭＡ（形状記憶合金）を利用した超小型ポンプを用いて吐出／吸引することにより捕捉体の移動を制御することができる。
例えば、図１０に示すように、吸着機構体５００は、軟磁性金属ピン５０２、コイル５０４、超小型ポンプ（マイクロポンプ）５０６、吸着機構体昇降用の圧電素子又はアクチュエータ（図示省略）等を備える。軟磁性金属ピン５０２は細長い管状に形成され、電極に接続されている。また、端部には超小型ポンプ５０６が設けられている。軟磁性金属ピン５０２の外周にはコイル５０４が周回されており、コイル５０４が通電すると軟磁性金属ピン５０２が磁石として作動する。
【００４３】
軟磁性金属ピン５０２は、一端に捕捉体を吐出／吸引するための開口５１０を備え、この開口５１０は軟磁性金属ピン５０２の他端側に配置された超小型ポンプ５０６に連通している。開口５１０の直径は、例えば数十μｍ〜数百μｍに形成され、この開口５１０を介して捕捉体が出入する。
超小型ポンプ５０６は、例えば、シリンダ、このシリンダ内に配置されたピストン、このピストンを駆動させる圧電素子を備える。圧電素子としては、例えばピエゾ素子が挙げられ、このような圧電素子の通電を制御することにより、ピストンの駆動を制御することができる。
このように捕捉体５１２が流体化されこの流体化された捕捉体５１２が超小型ポンプによって移動制御されることにより、所定量の捕捉体を複数のウェルに分配することができる。
また、上記実施形態では単一の吸着機構体１３０を備えた捕捉装置を例示したが、吸着機構体の個数は複数にしてもよい。１回の工程で回収される画分数（例えば１列分）に応じて、吸着機構体の数を、例えば５基あるいは１０基などとすることにより、ゲルプレート上の生体関連物質画分から効率的に生体関連物質を引き上げることができる。
【００４４】
本発明の実施形態では、捕捉体を接触させるゲルプレート上の位置を予め定め、この定められたゲルプレート上の位置に捕捉体を接触させる。このゲルプレート上の位置の決定は、自動、手動、及びその両方のいずれでも可能である。
【００４５】
生体関連物質の取得場所を自動的に決定して磁性粒子を接触させる場合、例えば、プレート画像を解析して生体関連物質画分を識別し、この識別された画分に対応するゲルプレート上の座標を割り出す。そして、割り出された座標が含まれる区分域に、割り当てられた磁性粒子を作動させるように、捕捉体を移動させる。
【００４６】
また、上記の実施形態では、磁石を軟磁性金属ピンに近づける、又は遠ざけることによって軟磁性金属ピンの磁性を制御し、これによって磁性粒子の動きを制御したが、スティック形状の鉄心の周囲にコイルを巻き付けた電磁石などを用いて磁性粒子の動きを制御してもよい。電磁石を用いることによりソレノイド及びプランジャを省くことができ、装置をコンパクト化することができる。
【００４７】
（４）採取区画のスケールアップ又はスケールダウン
本発明においては、捕捉装置はゲルプレート上の区分域と同数のウェルを備えることができるが、一部の区分域に対応するウェルを捕捉装置に設けてゲルプレート上の一部の区分域に対応するウェルを備えることもできる。これにより、一部の領域から、より大規模に生体関連物質を取得することができる。
ゲルプレート上の一部の区分域からより大規模に生体関連物質を取得する場合の概要を図１１に示す。
図１１に示すように、ゲルプレート４０２は、例えば２４行１６列に区分され、この区分域に対応可能な吸着機構体を用いて、電気泳動によってゲルプレート４０２上に分画された生体関連物質を、２４行１６列の第１ウェルプレート４０５に収集する。
この２４行１６列の第１ウェルプレート４０５のうち、例えば６行４列のウェル区画４０５ａ内のウェルに収容された内容物の規模を拡大して収容する場合、ウェル区画４０５ａの各ウェルに収容された内容物を、容量が大規模化された６行４列のウェルを備える第２ウェルプレート４０７に移す。
ウェル区画４０５ａの各ウェルから規模が拡大された第２ウェルプレート４０７の各ウェル４０７ａに収容物を移し変えることにより、生体関連物質の培養などが可能となり、より大規模に目的の生体関連物質を取得することができる。
また、第１ウェルプレートの占有サイズと等しい占有サイズを有する第２ウェルプレートを構築する場合、第２ウェルプレートのウェル中心間隔（ピッチ）を第１ウェルプレートのウェル中心間隔よりも大きくとり、これにより、例えばピペットを用いたマニュアル操作で第２ウェルプレートの各ウェルから生体関連物質をユーザが直接取得することが可能となる。
【００４８】
また、本発明においては、ゲルプレート全域に対応する縮小規模のウェル群を複数セット設けてゲルプレート上の生体関連物質をスケールダウンして複数セット取得することができる。
ゲルプレート上の生体関連物質の規模を縮小して複数セット取得する場合の概要を図１２に示す。図１２に示すように、ゲルプレート４５２は、例えば１２行８列に区分され、この区分域に対応することが可能な吸着機構体を用いて、ゲルプレート４５２上に分画された生体関連物質４６５を、１２行８列の第１ウェルプレート４５４に収集する。
第１ウェルプレート４５４に収容された内容物を、さらに規模が縮小されたウェルを有するプレート（例えば２４行１６列のウェルを備える第２ウェルプレート４５６）に移す。
【００４９】
上記の例では、第２ウェルプレート４５６のウェル数は第１ウェルプレート４５４のウェル数の４倍の規模であり、このため、第１ウェルプレート４５４の内容物を第２ウェルプレート４５６の４分の１の区画に移す動作を４回繰り返すことにより、第１ウェルプレート４５４の規模縮小された内容物を第２ウェルプレート４５６上に最大で４セット取得することができる。
第１ウェルプレートに回収された内容物の取得セット数を、例えば６セットや８セットなど、さらに増やしたい場合には、第２ウェルプレートのウェル数を増やせばよい。
また、第１ウェルプレートの全区画サイズと等しい全区画サイズを有する第２ウェルプレートを構築する場合、第２ウェルプレートのウェル中心間隔（ピッチ）を第１ウェルプレートのウェル中心間隔よりも小さくし、これにより、捕捉装置の大型化を回避することができるとともに、取得した生体関連物質に対する多彩なテストが可能となる。
【実施例】
【００５０】
［目的］
本発明の捕捉装置を用いた生体関連物質の採取について検証する。【００５１】
［使用した器具及び試料］
電気泳動装置及び回収冶具（図１３参照）
実験用ゲル
下記条件で実験用ゲルを準備した。
・  泳動ゲル：1％アガロースゲル（厚さ2-3mm）
・  泳動試料：DNAマーカー2種類（λDNA/Hind III Marker、WideRenge）
Human Genome、PCR products（1038bp）【００５２】
［電気泳動装置及び回収冶具の説明］
図１３に示すように、電気泳動装置は、アガロースゲルをバッファーに沈めた状態で電気泳動を行うサブマリンタイプのものを使用した。電気泳動装置は図１３中の右側に電源スイッチ、１００Ｖ／５０Ｖで電圧を切り替えるための電圧の切り替えスイッチ、電場の形成方向を切り替えるための電場形成方向切り替えスイッチを備え、装置中央部に第１〜第６の電気泳動用のレーンを備える。
回収冶具は、磁石を用いて磁化したピアノ線の一端に電極（例えば正極）を接続し、他端にＮｉ−Ｆｅ合金製のパーマロイ粉末（５０％ Ｎｉ−Ｆｅ ： ＰＦ−２０Ｆ）を吸着させたものを用いた。【００５３】
［手順］
１．第１〜第６の各レーンに、
Ｍ１：分子量マーカー１( λDNA/Hind III Marker )；
ＨＧ ：Control Human Genome DNA （Roche）；
ＰＣＲ：PCR産物（1038bp）；
Ｍ２：分子量マーカー2（Wide-Range  DNA Ladder）
をピペッティングして電気泳動を１００Ｖ３０分の条件下で実行した。
２．泳動後のゲルをエチジウムブロマイドで染色、洗浄後、ＵＶ撮影で試料の位置を確認した。
３．確認できた核酸の位置（図１４左パネル）のＭ１のレーンで白く見えているバンド（丸で囲った箇所））に、パーマロイ粉末を吸着した回収冶具の先端を当て、１００Ｖの電圧を印加しつつ１５０秒間ゲルに押しつけた。【００５４】
［結果］
回収処理後のゲルを再度ＵＶ撮影画像で確認した。図１４右パネルに示されるように、Ｍ１のレーンの核酸のバンドが消失していることから、核酸を電気泳動後のゲル内から回収できることを確認した。
【符号の説明】
【００５５】
４  ゲルプレート
４ａ  区分域
１３０  吸着機構体（接触制御手段）
１３１  第１ハウジング
１３２  第２ハウジング
１３３  アクチュエータ
１３５  ソレノイド
１３６  プランジャ
１４０  磁石
１４２  軟磁性金属ピン
１５０  磁性粒子（捕捉体）
３５０  吸着機構体
３５２  ハウジング
３５４  磁石装置
３５６  アクチュエータ
３６０  磁石
３６２  ソレノイド
３６５  吸着板
３７０  捕捉体
４０２  ゲルプレート
４０５  第１ウェルプレート
４０７  第２ウェルプレート
４５２  ゲルプレート
４５４  第１ウェルプレート
４５６  第２ウェルプレート
４６５  生体関連物質
５００  吸着機構体
５０２  軟磁性金属ピン
５０４  コイル
５０６  超小型ポンプ
５１０  開口
５１２  捕捉体
【図１】
2011162290.tif 000003
【図２】
2011162290.tif 000004
【図３】
2011162290.tif 000005
【図４】
2011162290.tif 000006
【図５】
2011162290.tif 000007
【図６】
2011162290.tif 000008
【図７】
2011162290.tif 000009
【図８】
2011162290.tif 000010
【図９】
2011162290.tif 000011
【図１０】
2011162290.tif 000012
【図１１】
2011162290.tif 000013
【図１２】
2011162290.tif 000014
【図１３】
2011162290.tif 000015
【図１４】
2011162290.tif 000016
【国際調査報告】
2011162290.tif 000017
2011162290.tif 000018
2011162290.tif 000019
2011162290.tif 000020